(57)【要約】【課題】ワン切り電話の被害をなくすことができるいたずら電話防止機能付き携帯電話機を提供すること。【解決手段】着信を検出する着信検出手段Ｓ３と、この着信検出手段により着信が検出されてから所定の呼び出し回数あるいは所定時間経過を計数する計数手段６，７と、着信を知らせる着信報知手段１２〜１４と、前記計数手段により着信が検出されてから所定の呼び出し回数あるいは所定時間経過が計数された後に前記着信報知手段を作動させて着信動作を開始する手段Ｓ１３とを有する。【選択図】　　図３
2004007383.tif 000002
【特許請求の範囲】
【請求項１】
着信を検出する着信検出手段と、
この着信検出手段により着信が検出されてから所定の呼び出し回数あるいは所定時間経過を計数する計数手段と、
着信を知らせる着信報知手段と、
前記計数手段により着信が検出されてから所定の呼び出し回数あるいは所定時間経過が計数された後に前記着信報知手段を作動させて着信動作を開始する着信報知制御手段とを具備したいたずら電話防止機能付き携帯電話機。
【請求項２】
前記所定の呼び出し回数あるいは所定時間は操作部から入力されることを特徴とする請求項１記載のいたずら電話防止機能付き携帯電話機。
【請求項３】
前記着信報知手段は、音、振動、光で着信を報知する報知手段と、表示部への表示により着信を報知する報知手段を有し、各報知手段毎に所定の呼び出し回数あるいは所定時間は別々に設定可能である請求項１記載のいたずら電話防止機能付き携帯電話機。
【請求項４】
前記計数手段により着信が検出されてから所定の呼び出し回数あるいは所定時間経過が計数される前に前記着信報知手段に微弱動作させる微弱動作モード設定手段を更に備え、
前記着信報知制御手段は、前記計数手段により着信が検出されてから所定の呼び出し回数あるいは所定時間経過が計数されるまでは、前記着信報知手段を微弱動作させ、その後前記着信報知手段を作動させて着信動作を開始することを特徴とする請求項１記載のいたずら電話防止機能付き携帯電話機。
【請求項５】
着信履歴データを記憶する着信履歴データメモリと、
表示部と、
着信を検出する着信検出手段と、
この着信検出手段により着信が検出されてからの呼び出し回数を計数する呼び出し回数計数手段と、
前記着信検出手段により着信が検出されてからの経過時間を計数する経過時間計数手段と、
呼び出し回数計数手段で計数された呼び出し回数あるいは前記経過時間計数手段で計数された経過時間を前記着信履歴データメモリに記憶させる手段と、
前記着信履歴データメモリに記憶されている呼び出し回数あるいは経過時間を着信番号と共に前記表示部に表示させるかを設定する設定手段と、
この設定手段により呼び出し回数あるいは経過時間を表示することが設定された場合には、前記表示部に着信履歴データを表示させる際に呼び出し回数あるいは経過時間も表示させる表示制御手段とを具備したことを特徴とするいたずら電話防止機能付き携帯電話機。
【請求項６】
前記着信履歴データメモリに記憶されている着信番号、呼び出し回数あるいは経過時間等の着信履歴データを一定条件下で削除するデータ削除手段を備えていることを特徴とする請求項５記載のいたずら電話防止機能付き携帯電話機。
【請求項７】
前記着信履歴データメモリに記憶されている着信番号、呼び出し回数あるいは経過時間等の着信履歴データのうち着信番号を発信者番号非通知に変更するデータ変更手段を備えていることを特徴とする請求項５記載のいたずら電話防止機能付き携帯電話機。
【請求項８】
前記着信履歴データメモリに記憶されている着信番号、呼び出し回数あるいは経過時間等の着信履歴データのうちの着信番号に対してリダイヤルすると警告を発する警報手段を具備したことを特徴とする請求項５記載のいたずら電話防止機能付き携帯電話機。
【発明の詳細な説明】
【０００１】
【発明の属する技術分野】
本発明は、悪意で着信履歴のみを残す、いわゆるワン切り電話の被害をなくすことができるいたずら電話防止機能付き携帯電話機に関する。
【０００２】
【従来の技術】
一方、携帯電話機の普及は著しいものがある。これに伴い携帯電話機を使用した様々なビジネスが開発されている。最近では、携帯電話機に１回の呼び出し音が鳴ると直ぐに電話を切ってしまうワン切り電話の被害が広まっている。このようなワン切り電話の被害に対処する先行技術文献については知りません。
【０００３】
【発明が解決しようとする課題】
つまり、このワン切り電話を受けた携帯電話機には、着信履歴のみが残っている。この着信履歴を見た所有者は、着信履歴に残された相手電話番号に電話を掛け直すと、法外な電話料金を請求されたりする被害が出ている。
【０００４】
本発明は上記の点に鑑みてなされたもので、その目的は、ワン切り電話の被害をなくすことができるいたずら電話防止機能付き携帯電話機を提供することにある。
【０００５】
【課題を解決するための手段】
請求項１記載の発明は、着信を検出する着信検出手段と、この着信検出手段により着信が検出されてから所定の呼び出し回数あるいは所定時間経過を計数する計数手段と、着信を知らせる着信報知手段と、前記計数手段により着信が検出されてから所定の呼び出し回数あるいは所定時間経過が計数された後に前記着信報知手段を作動させて着信動作を開始する着信報知制御手段とを具備している。
【０００６】
請求項２記載の発明は、請求項１記載の前記所定の呼び出し回数あるいは所定時間は操作部から入力されることを特徴とする。
【０００７】
請求項３記載の発明は、請求項２記載の着信報知手段は、音、振動、光で着信を報知する報知手段と、表示部への表示により着信を報知する報知手段を有し、各報知手段毎に所定の呼び出し回数あるいは所定時間は別々に設定可能である。
【０００８】
つまり、着信が検出されてから所定の呼び出し回数あるいは所定時間が経過した後に、着信報知手段を作動させて着信を携帯電話保持者に知らせるようにしている。着信報知手段としては、振動、音、光により着信を報知したり、表示部に着信履歴を残すことをさす。
【０００９】
請求項４記載の発明は、請求項１記載の計数手段により着信が検出されてから所定の呼び出し回数あるいは所定時間経過が計数される前に前記着信報知手段に微弱動作させる微弱動作モード設定手段を更に備え、前記着信報知制御手段は、前記計数手段により着信が検出されてから所定の呼び出し回数あるいは所定時間経過が計数されるまでは、前記着信報知手段を微弱動作させ、その後前記着信報知手段を作動させて着信動作を開始することを特徴とする。
【００１０】
請求項５記載の発明は、着信履歴データを記憶する着信履歴データメモリと、表示部と、着信を検出する着信検出手段と、この着信検出手段により着信が検出されてからの呼び出し回数を計数する呼び出し回数計数手段と、前記着信検出手段により着信が検出されてからの経過時間を計数する経過時間計数手段と、呼び出し回数計数手段で計数された呼び出し回数あるいは前記経過時間計数手段で計数された経過時間を前記着信履歴データメモリに記憶させる手段と、前記着信履歴データメモリに記憶されている呼び出し回数あるいは経過時間を着信番号と共に前記表示部に表示させるかを設定する設定手段と、この設定手段により呼び出し回数あるいは経過時間を表示することが設定された場合には、前記表示部に着信履歴データを表示させる際に呼び出し回数あるいは経過時間も表示させる表示制御手段とを具備したことを特徴とする。
【００１１】
請求項６記載の発明は、請求項５記載の着信履歴データメモリに記憶されている着信番号、呼び出し回数あるいは経過時間等の着信履歴データを一定条件下で削除するデータ削除手段を備えていることを特徴とする。
【００１２】
請求項７記載の発明は、請求項５記載の着信履歴データメモリに記憶されている着信番号、呼び出し回数あるいは経過時間等の着信履歴データのうち着信番号を発信者番号非通知番号に変更するデータ変更手段を備えていることを特徴とする。
【００１３】
請求項８記載の発明は、請求項５記載の着信履歴データメモリに記憶されている着信番号、呼び出し回数あるいは経過時間等の着信履歴データのうちの着信番号に対してリダイヤルすると警告を発する警報手段を具備したことを特徴とする。
【００１４】
【発明の実施の形態】
以下、図面を参照して本発明の一実施の形態について説明する。図１は携帯電話機のシステム構成を示すブロック図である。図１において、１は携帯電話機を統括して制御する制御部であり、例えばマイクロプロセッサで構成されている。この制御部１は、図４乃至図１２のフローチャートに示したプログラムを記憶している。
【００１５】
この制御部１には、操作部２、無線部３、送話部４、受話部５、着信を検出してからの時間を計数するタイマＴ６、着信を検出してからの呼び出し回数を計数する呼び出しカウンタＣ７、各種作業用エリア、表示フラグＤＦ、動作フラグＰＦ、動作用潜伏回数Ｃｓ１及び潜伏時間Ｔｓ１、表示用潜伏回数Ｃｓ２及び潜伏時間Ｃｓ２、回数表示フラグＦＦ、時間表示フラグＴＦ、微弱動作モードＭＤ、図２に示す着信履歴データメモリ８ａ、図３に示す自動削除用メモリ８ｂを記憶するメモリ８、表示制御部９、動作制御部１０が接続されている。ここで、表示フラグＤＦは表示部１１に着信を知らせる報知を行なったときにＯＮされ、動作フラグＰＦは音、光、振動により着信を知らせる報知を行なったときにＯＮされる。回数表示フラグＦＦは表示部１１に着信履歴データを表示させるときに着信を検出してからの呼び出し回数を一緒に表示させる場合にＯＮされ、時間表示フラグＴＦは表示部１１に着信履歴データを表示させるときに着信を検出してからの経過時間を一緒に表示させる場合にＯＮされ、微弱動作モードＭＤは着信報知制御手段は、前記計数手段により着信が検出されてから所定の呼び出し回数あるいは所定時間経過が計数されるまでは、前記着信報知手段を微弱動作させ、その後前記着信報知手段を作動させて着信動作を開始することを特徴とする。
【００１６】
表示制御部９は表示部１１への表示を制御する。この表示としては、着信の表示、電話番号の表示、着信履歴の表示、メニュー画面の表示等である。
【００１７】
動作制御部１０は、着信音発生部１２から発生される着信音の発生に起動をかけたり、振動発生部１３に設けられた振動モータ（図示しない）の回転に起動をかけたり、着信光発生部１４に設けられた発光素子を点灯させることにより着信を知らせている。
【００１８】
操作部２は、数字、アルファベット等を入力するキーの他、各種機能キー（履歴表示キーを含む）が配列されている。
【００１９】
無線部３にはアンテナ３ａが接続されている。無線部３は、高周波増幅器や変復調器等を備え、時分割多重通信方式や符号分割多重通信方式等の携帯電話に適した無線送受信機能を備えている。
【００２０】
次に、図２を参照して着信履歴データメモリ８ａの構成について説明する。この着信履歴データメモリ８ａには、電話をかけた人の電話番号である着信番号、タイマＴ６で計数された着信を検出してからの時間、つまり着信時間、呼び出しカウンタＣ７に計数された着信を検出してからの着信回数、つまりコール回数、通話フラグが記憶されている。例えば、電話番号が「０３１１１１２２２２」である発信者からの電話の着信時間は２秒で、着信回数が１回であることが表されている。さらに、通話フラグが「０」つまり、その電話に対して通話していないことが意味されている。また、電話番号が「０１８４４４８８８８」である発信者からの電話の着信時間は１０秒で、着信回数が５回であることが表されている。さらに、通話フラグが「１」つまり、その電話に対して通話したことが意味されている。
【００２１】
次に、図３を参照して自動削除用メモリ８ｂの構成について説明する。図３の例の場合は、１回のコールで終わった末の通話の着信は、着信が終了してから５秒後に自動削除するということを意味する。
【００２２】
次に、上記のように構成された本発明の一実施の形態の動作について説明する。携帯電話機の電源が投入されると、図７のフローチャートの処理が開始される。つまり、携帯電話機は着信待ち状態となっている。この図７のフローチャートの動作については後述する。
【００２３】
このように状態において、操作部２の機能キーを操作することにより、図４のフローチャートに示すようなワン切り防止機能設定モードを開始させる。まず、表示部１１にワン切り防止機能設定するか否かの問い合わせが表示される（ステップＳ１）。
【００２４】
このステップＳ１の判定で「ＹＥＳ」と判定されると、潜伏回数Ｃｓ１を設定するかが判定される（ステップＳ２）。ここで、動作用潜伏回数Ｃｓ１とは、携帯電話機において着信を検出してから潜伏回数Ｃｓ１だけ着信報知を行なわない回数を意味する。着信報知とは着信音発生部１２による音による報知、振動発生部１３による振動による報知、着信光発生部１４による光による着信報知等の動作による着信報知を意味する。これら着信報知は所定時間毎に繰り返されるが、着信を検出してから何回（つまり、潜伏回数Ｃｓ１）着信報知を行なわないかを設定する処理が行なわれる。
【００２５】
このステップＳ２で「ＹＥＳ」と判定された場合には、表示部１１に図１３（Ａ）に示す表示がされた後、潜伏回数Ｃｓ１の設定処理が行なわれる（ステップＳ３）。この潜伏回数Ｃｓ１の設定処理においては、まず、表示部１１に図１３（Ｂ）に示すような潜伏回数設定画面が表示される。そして、潜伏回数Ｃｓ１として「１」を操作部２から入力した場合には、表示部１１に図１３（Ｃ）に示すように表示される。この状態で操作部２より確認操作をすると、図１３（Ｄ）に示すように表示部１１に確認メッセージが表示される。
【００２６】
このようにして、設定された潜伏回数Ｃｓ１はメモリ８の所定エリアに記憶される。
【００２７】
ところで、ステップＳ２において「ＮＯ」と判定された場合には、潜伏時間Ｔｓ１を設定するかが判定される（ステップＳ４）。この潜伏時間Ｔｓ１は前述した潜伏回数Ｃｓ１を時間で管理するものである。このステップＳ４の判定で「ＹＥＳ」と判定された場合には、潜伏時間Ｔｓ１を設定する処理が行なわれる（ステップＳ５）。この潜伏時間Ｔｓ１の設定処理は図１３を参照して説明した潜伏回数Ｃｓ１の設定と同じように行なわれる。なお、ステップＳ１において「ＮＯ」と判定された場合には他の設定処理が行なわれる（ステップＳ６）。
【００２８】
この他の設定処理として、図５のフローチャートに示すような回数表示フラグＦＦ及び時間表示フラグＴＦの設定、微弱動作モードＭＤの設定がある。
【００２９】
まず、図５のフローチャートを参照して回数表示フラグＦＦ及び時間表示の設定処理について説明する。
【００３０】
図５のフローチャートの処理が開始されると、まず、『着信履歴表示に呼び出し回数を追加表示するか』が表示部１１に図１５（Ａ）に示すように表示される（ステップＳ１１）。
【００３１】
この表示に対して、図１５（Ｂ）に示すように「する」を選択すると、メモリ８の回数表示フラグＦＦが「１」にセットされる（ステップＳ１２）。この結果、表示部１１には、図１５（Ｃ）に示すように、「着信履歴に呼出し回数を追加表示します」というメッセージが表示される。
【００３２】
一方、ステップＳ１１の判定で「ＮＯ」と判定された場合には、メモリ８の回数表示フラグＦＦがリセットされる（ステップＳ１３）。
【００３３】
次に、図示はしないが、表示部１１に、『着信履歴表示に呼出し経過時間を追加表示するか』が表示される（ステップＳ１４）。
【００３４】
このステップＳ１４で「ＹＥＳ」と判定された場合には、時間表示フラグＴＦが「１」にセットされる（ステップＳ１５）。
【００３５】
一方、ステップＳ１４の判定で「ＮＯ」と判定された場合には、時間表示フラグＴＦはリセットされる（ステップＳ１６）。
【００３６】
さらに、この他の設定処理としての微弱動作モードＭＤの設定処理について図５のフローチャートを参照して説明する。まず、図１６（Ａ）に示すように表示部１１にメニューとして『動作潜伏時の微弱動作モード設定』が表示される。そして、潜伏時の動作を完全に止めるかが判定される（ステップＳ２１）。この際、表示部１１には、図１６（Ｂ）に示すように表示される。ここで、オペレータは『いいえ』を選択するとステップＳ２１の判定で「ＮＯ」と判定され、微弱動作モードＭＤを「１」（ＯＮ）に設定される（ステップＳ２２）。この際、表示部１１には、音量及び振動の度合いが図１６（Ｃ）で示すように表示される。さらに、表示部１１には、図１６（Ｄ）に示すように『潜伏時の微弱動作が設定されました』という確認のメッセージが表示される。
【００３７】
一方、ステップＳ２１の判定で「ＹＥＳ」と判定された場合には、微弱動作モードＭＤが「０」（ＯＦＦ）される（ステップＳ２３）。
【００３８】
次に、図７のフローチャートを参照して携帯電話機の電源が投入された後のメインフローチャートについて説明する。携帯電話の電源をオンすると、着信を待つ待ち受け状態となる（ステップＳ３１）。そして、着信があったかどうかが検出される（着信検出手段）（ステップＳ３２）。このステップＳ３２の判定で、「ＮＯ」と判定されている間は、待ち受け状態が継続して行なわれる。
【００３９】
一方、ステップＳ３２の判定で「ＹＥＳ」、つまり着信があったと判定されると、図４を参照して詳細な説明を後述する動作制御処理及び表示制御処理（ステップＳ３３）が行なわれる。
【００４０】
そして、応答があるかが判定される（ステップＳ３５）。このステップＳ３５の判定において、「ＹＥＳ」と判定された場合には、通話処理がされる（ステップＳ３６）。つまり、送話部４で入力された音声は無線部３から相手側に送信され、相手側の音声は受話部５で聞くことができる。
【００４１】
次に、動作制御処理の詳細な動作について図８のフローチャートを参照して説明する。まず、メモリ８の所定領域に潜伏回数Ｃｓ１が設定されているかが判定される（ステップＳ４１）。このステップＳ４１の判定で「ＹＥＳ」と判定された場合には、初期設定として、呼び出しカウンタＣに「０」がセットされると共に、動作フラグＰＦがＯＦＦされる（ステップＳ４２）。
【００４２】
そして、カウンタＣが＋１される（ステップＳ４３）。この結果、カウンタＣ＝１となる。
【００４３】
そして、微弱動作モードＭＤがＯＮであるかが判定される（ステップＳ４４）。このステップＳ４４の判定で「ＹＥＳ」と判定された場合には、微弱動作が発動される（ステップＳ４５）。この微弱動作とは、動作制御部１０の制御により着信音発生部１２から出力される着信音が微弱な音で報音すると共に、振動発生部１３から微弱な振動により着信を知らせる動作をいう。
【００４４】
一方、ステップＳ４４の判定で「ＮＯ」と判定された場合には、ステップＳ４５の処理はスキップされる。
【００４５】
次に、カウンタＣの計数値と潜伏回数Ｃｓ１とが比較、つまり、「Ｃ＞Ｃｓ１」であるかが判定される（ステップＳ４６）。この実施の形態では、Ｃｓが「１」に設定されているとして以降の動作について説明する。従って、ステップＳ４６の判定は「ＮＯ」である。つまり、再度カウンタＣが＋１される（ステップＳ４３）。その結果、カウンタＣに「２」が計数される。従って、再度ステップＳ４６の判定では、「ＹＥＳ」と判定される。そして、呼び出し動作が発動される（ステップＳ４７）。つまり、動作制御部１０から着信音発生部１２、振動発生部１３及び着信光発生部１４に発動信号がそれぞれ出力される。つまり、着信音発生部１２から着信音が発生されると共に、振動発生部１３から振動が発生されるとともに、着信光発生部１４から着信光が放たれる。これにより、着信があったことが知らされる。また、フラグＰＦがＯＮされて、リターンされる。
【００４６】
一方、ステップＳ４１の判定で「ＮＯ」と判定された場合には、潜伏時間Ｔｓ１が設定されているかが判定される（ステップＳ４９）。このステップＳ４９の判定は、メモリ８の所定領域に潜伏時間Ｔｓ１が設定されているかで判定される。このステップＳ４９において「ＹＥＳ」と判定された場合には、初期設定としてタイマＴが「０」とされると共に、動作フラグＰＦがＯＦＦされる（ステップＳ５０）。そして、タイマＴの経過時間が計測される（ステップＳ５１）。
【００４７】
そして、微弱動作モードＭＤがＯＮであるかが判定される（ステップＳ５２）。このステップＳ５２の判定で「ＹＥＳ」と判定された場合には、微弱動作が発動される（ステップＳ５３）。この微弱動作とは、動作制御部１０の制御により着信音発生部１２から出力される着信音が微弱な音で報音すると共に、振動発生部１３から微弱な振動により着信を知らせる動作をいう。
【００４８】
一方、ステップＳ５２の判定で「ＮＯ」と判定された場合には、ステップＳ５３の処理はスキップされる。
【００４９】
そして、タイマＴの経過時間Ｔと潜伏時間Ｔｓ１が比較、つまり「Ｔ＞Ｔｓ１」であるかが判定される（ステップＳ５４）。従って、Ｔ≦Ｔｓ１である間は、ステップＳ５４で「ＮＯ」と判定される。
【００５０】
ところで、「Ｔ＞Ｔｓ１」となるとステップＳ５４で「ＹＥＳ」と判定される。そして、呼び出し動作が発動される（ステップＳ５５）。つまり、動作制御部１０から着信音発生部１２、振動発生部１３及び着信光発生部１４に発動信号がそれぞれ出力される。つまり、着信音発生部１２から着信音が発生されると共に、振動発生部１３から振動が発生されるとともに、着信光発生部１４から着信光が放たれる。これにより、着信があったことが知らされる。また、フラグＰＦがＯＮされて、リターンされる。
【００５１】
つまり、潜伏回数Ｃｓ１として「１」を設定しても、図１８に示すように、微弱動作モードＭＤがＯＮに設定されていると、潜伏状態であっても１回目の音、振動、光により微弱着信報知は行なわれ、２回目以降については音、振動、光による着信報知はおこなわれる。
【００５２】
なお、潜伏回数Ｃｓ１として「１」を設定しても、図１８に示すように、微弱動作モードＭＤがＯＦＦに設定されていると、潜伏状態である場合には１回目の音、振動、光により着信報知は行なわれないで、２回目以降については音、振動、光による着信報知はおこなわれる。この場合には、所有者は、１回目から所有者がいたずら電話の着信音などを煩雑に感じることはない。
【００５３】
従って、図１９に示すように１回目では音、振動、光による微弱着信報知が行なわれ、ワン切りのいたずら電話の着信を大きく報知することはないので、所有者がいたずら電話の着信音などを煩雑に感じることはない。
【００５４】
次に、表示制御処理の詳細な動作について図９のフローチャートを参照して説明する。まず、メモリ８の所定領域に表示用潜伏回数Ｃｓ２が設定されているかが判定される（ステップＳ６１）。このステップＳ６１の判定で「ＹＥＳ」と判定された場合には、初期設定として、呼び出しカウンタＣに「０」がセットされると共に、表示フラグＤＦがＯＦＦされる（ステップＳ６２）。
【００５５】
そして、カウンタＣが＋１される（ステップＳ６３）。この結果、カウンタＣ＝１となる。そして、カウンタＣの計数値と潜伏回数Ｃｓ２とが比較、つまり、「Ｃ＞Ｃｓ２」であるかが判定される（ステップＳ６４）。この実施の形態では、Ｃｓ２が「０」に設定されているとして以降の動作について説明する。従って、ステップＳ６４の判定は「ＹＥＳ」と判定される。そして、呼び出し表示が発動される（ステップＳ６５）。つまり、表示制御部９から表示部に発動信号がそれぞれ出力される。この結果、表示制御部９の制御により表示部１１に着信があることが表示される。つまり、発信者の電話番号や履歴が表示部１１に表示される。
【００５６】
一方、ステップＳ６１の判定で「ＮＯ」と判定された場合には、表示用潜伏時間Ｔｓ２が設定されているかが判定される（ステップＳ６７）。このステップＳ６７の判定は、メモリ８の所定領域に潜伏時間Ｔｓ２が設定されているかで判定される。このステップＳ６７において「ＹＥＳ」と判定された場合には、初期設定としてタイマＴが「０」とされると共に、表示フラグＤＦがＯＦＦされる（ステップＳ６８）。そして、タイマＴの経過時間が計測される（ステップＳ６９）。そして、タイマＴの経過時間Ｔと潜伏時間Ｔｓ２が比較、つまり「Ｔ＞Ｔｓ２」であるかが判定される（ステップＳ７０）。従って、Ｔ≦Ｔｓ２である間は、ステップＳ７０で「ＮＯ」と判定される。
【００５７】
ところで、「Ｔ＞Ｔｓ２」となるとステップＳ７０で「ＹＥＳ」と判定される。そして、呼び出し動作が発動される（ステップＳ７１）。この実施の形態ではＴｓ２＝０と設定されているので、ステップＳ７０で「ＹＥＳ」と判定される。つまり、表示制御部９から表示部に発動信号がそれぞれ出力される。この結果、表示制御部９の制御により表示部１１に着信があることが表示される。これにより、着信があったことが知らされる。つまり、発信者の電話番号や履歴が表示部１１に表示される。また、フラグＤＦがＯＮされて、リターンされる。
【００５８】
ところで、回線が切断されると、図１０のフローチャートに示す処理が開始される。上記した実施の形態では、動作用潜伏回数Ｃｓ１として「１」が設定され、表示用潜伏回数Ｃｓ２として「０」を設定したので、ワン切り電話を受信した場合には、動作用制御部１０の制御により着信音、振動、光により報知が１回は行なわれないで、２回以降に行なわれる。表示に関しては相手電話番号及び着信履歴の表示が表示部になされる。従って、ワン切り電話があった場合には、フラグＰＦはＯＦＦ、フラグＤＦはＯＮ状態となっている。つまり、フラグＤＦがＯＮでかつフラグＰＦ＝ＯＦＦの場合には、ステップＳ８１及び８２で「ＹＥＳ」と判定されるため表示部１１に図１４に示すように「ワン切りあり」表示がされる（ステップＳ８３）。
【００５９】
一方、フラグＤＦ＝ＯＦＦあるいはフラグＰＦ＝ＯＮの場合には、ステップＳ８１あるいはＳ８２で「ＮＯ」と判定されるため、図１４に示すように「ワン切り」は行なわれない（ステップＳ８４）。
【００６０】
このように、「ワン切りあり」表示を見て所有者はワン切りがあったことを確認することができる。つまり、着信音、振動、光による１回の報知が行なわれなくても「ワン切りあり」表示を見て、所有者はワン切り電話があったことを認識することができる。従って、「ワン切りあり」表示が表示部１１に表示されている場合には、相手番号が表示されていてもその電話番号に電話を掛けなおすことを未然に防止することができる。従って、ワン切り電話による被害を未然に防止することができる。また、表示部１１にはワン切り電話の電話番号を表示させあるいは記憶させておくので、警察等への証拠資料として保存しておくことができる。
【００６１】
以上のように、図２０に示すように、発信者からワン切りの電話操作が行なわれた場合、例えば、３回の呼び出し操作が行なわれた場合には、受信者に対しては１回目の着信動作（音、振動、光）は微弱動作モードＭＤがセットされていなければ、発生しないが、微弱動作モードＭＤがセットされていれば微弱動作される。一方、発信者に対しては３回すべてコール音が発生する。
【００６２】
これに対して、従来は図２１に示すように、ワン切りの電話操作に対して、３回すべて着信動作（音、振動、光）は発生するので、ワン切りの電話があった場合に、煩わしく感じるという不具合がある。
【００６３】
ところで、操作部２から履歴表示処理を指定する操作がなされると、図１１のフローチャートに示す処理が行なわれる。つまり、回転数表示フラグＦＦがＯＮであるか判定される（ステップＳ９１）。このステップＳ９１で「ＹＥＳ」と判定された場合には、図１７に示すように、表示部１１に表示される着信履歴に呼出し回数が追加表示される（ステップＳ９２）。
【００６４】
ところで、ステップＳ９１の判定で「ＮＯ」と判定された場合には、時間表示フラグＴＦがＯＮであるかが判定される（ステップＳ９３）。このステップＳ９３の判定で「ＹＥＳ」と判定された場合には、図示はしないが、表示部１１に着信履歴及び経過時間が表示される。
【００６５】
このようにして、表示部１１に表示される着信履歴に呼出し回数あるいは経過時間を表示するようにしたので、オペレータは１切り電話状態がどの程度継続したかを確認することができる。
【００６６】
また、操作部２から履歴表示キーが操作がなされると、図１２のフローチャートの処理が開始されて、着信履歴データメモリ８ａの内容を自動的に削除するようにしても良い。
【００６７】
つまり、着信履歴データメモリ８ａが一定の条件、例えば図３に示す自動削除用メモリに記憶されている条件となったら（ステップＳ１０１）、着信履歴データメモリ８ａに記憶されている着信履歴データを削除している（ステップＳ１０２）。
【００６８】
そして、着信履歴データメモリ８ａに記憶されている着信履歴データをすべてサーチしたかが判定される（ステップＳ１０３）。このステップＳ１０３の判定で「ＹＥＳ」と判定された場合には、着信履歴データメモリ８ａに記憶されている着信履歴データの削除処理は終了される。
【００６９】
なお、上記した実施の形態では、着信音、振動及び光のそれぞれに対して同じ動作用潜伏回数Ｃｓ１及び潜伏時間Ｔｓ１を同じにしたが、図２のフローチャートの処理において、着信音、振動及び光のそれぞれに対して動作用潜伏回数Ｃｓ１及び潜伏時間Ｔｓ１を別々に設定するようにしても良い。
【００７０】
このように着信音、振動及び光のそれぞれに対して動作用潜伏回数Ｃｓ１及び潜伏時間Ｔｓ１を別々に設定した場合には、図８のフローチャートの処理において、着信音、振動及び光のそれぞれに対して別々に設定された動作用潜伏回数Ｃｓ１及び潜伏時間Ｔｓ１を用いて判定処理を行なうようにすれば良い。
【００７１】
なお、着信履歴データメモリ８ａに着信番号、呼び出し回数あるいは経過時間等の着信履歴データのうちワン切り電話に対しては着信番号を発信者番号非通知番号に自動的にデータ変更手段により変更するようにしても良い。
【００７２】
さらに、着信履歴データメモリ８ａに着信番号、呼び出し回数あるいは経過時間等の着信履歴データのうち、ワン切り電話に対してリダイヤルしようとした場合に、警報手段により警告を発するようにしても良い。
【００７３】
【発明の効果】
以上詳述したように本発明によれば、ワン切り電話の被害をなくすことができるいたずら電話防止機能付き携帯電話機を提供することができる。
【図面の簡単な説明】
【図１】本発明の一実施の形態に係わる携帯電話機のシステム構成を示すブロック図。
【図２】同実施の形態に係る着信履歴メモリの記憶内容を示す図。
【図３】同実施の形態に係る自動削除用メモリの記憶内容を示す図。
【図４】同実施の形態の動作を説明するための初期設定フローチャート。
【図５】同実施の形態に係る初期設定フローチャート。
【図６】同実施の形態に係る初期設定フローチャート。
【図７】同実施の形態の動作を説明するためのメインフローチャート。
【図８】同実施の形態の動作を説明するための動作制御処理ルーチンを示すフロチャート。
【図９】同実施の形態の動作を説明するための表示制御処理ルーチンを示すフロチャート。
【図１０】同実施の形態の動作を説明するための回線接続時のフローチャート。
【図１１】同実施の形態に係る履歴表示処理を示すフローチャート。
【図１２】同実施の形態に係る履歴表示処理の他の例を示すフローチャート。
【図１３】表示部の表示内容を示す図。
【図１４】「ワン切りあり」表示例を示す図。
【図１５】表示部の表示状態を示す図。
【図１６】表示部の表示状態を示す図。
【図１７】表示部の表示状態を示す図。
【図１８】本発明の携帯電話機の動作を説明するための模式図。
【図１９】従来の携帯電話機の動作を説明するための模式図。
【図２０】本発明の携帯電話機と基地局との信号のやりとりを説明するための図。
【図２１】従来の携帯電話機と基地局との信号のやりとりを説明するための図。
【符号の説明】
１…制御部、
２…操作部、
３…無線部、
４…送話部、
５…受話部、
６…タイマ、
７…カウンタ、
８…メモリ
９…表示制御部、
１０…動作制御部、
１１…表示部、
１２…着信音発生部、
１３…振動発生部、
１４…着信光発生部。
【図１】
2004007383.tif 000003
【図２】
2004007383.tif 000004
【図３】
2004007383.tif 000005
【図４】
2004007383.tif 000006
【図５】
2004007383.tif 000007
【図６】
2004007383.tif 000008
【図７】
2004007383.tif 000009
【図８】
2004007383.tif 000010
【図９】
2004007383.tif 000011
【図１０】
2004007383.tif 000012
【図１１】
2004007383.tif 000013
【図１２】
2004007383.tif 000014
【図１３】
2004007383.tif 000015
【図１４】
2004007383.tif 000016
【図１５】
2004007383.tif 000017
【図１６】
2004007383.tif 000018
【図１７】
2004007383.tif 000019
【図１８】
2004007383.tif 000020
【図１９】
2004007383.tif 000021
【図２０】
2004007383.tif 000022
【図２１】
2004007383.tif 000023